(57)【特許請求の範囲】
【請求項１】
筐体と
この筐体内に、流入する空気中に含まれる塵埃を帯電し、捕集する集じんユニットと、
その下流側に、上流側から順に、洗浄部、接地された金網、ダンパーとを備えた電気集じん装置。
【請求項２】
金網に集じんユニットと逆極性の低電圧を印加した請求項１記載の電気集じん装置。
【発明の詳細な説明】
【０００１】
【発明の属する技術分野】
本発明は、自動車道路トンネルや地下駐車場等の閉鎖空間に設置される大風量の電気集じん装置に関する。
【０００２】
【従来の技術】
従来、この種の電気集じん装置に類するものは、特開昭５５−８８２６号公報に記載されているものが知られている。
【０００３】
以下その電気集じん装置について図６を用いて説明する。すなわち、被処理ガスの通路に高電圧極１０１と接地極１０２を設け、両電極間に直流高電圧を印加して放電を生起させ、該放電によって帯電させた塵埃を集じん極１０３上に捕集する電気集じん装置の出口部に粒子中和装置を設けたものである。この粒子中和装置は塵埃を帯電させる放電とは逆極性の放電を生じる細線からなる放電極（接地極）１０４と高電圧極１０５を設け、さらに放電極移動機構１０６により逆極性放電を行う放電極１０４の移動を行うこと、もしくは放電極１０４に直列に接続された可変高抵抗１０７を変化させることにより、逆極性放電の出力の制御を行う制御装置１０８を設けたものである。この粒子中和装置により電気集じん装置で捕集されずに流出する帯電された塵埃を除電し、この塵埃が電気集じん装置流出側の設備及び構造物等へ付着することによる汚染を低減している。
【０００４】
【発明が解決しようとする課題】
このような従来の電気集じん装置では、構造が複雑で、製作及びメンテナンスに手間がかかることと電力消費があるという課題があり、電力消費を要せず簡便で、必要な作用をなすことが要求されている。
【０００５】
本発明は、このような従来の課題を解決するものであり、集じんユニットに捕集されず通過した帯電された塵埃を実用的に除電でき、この塵埃が電気集じん装置流出側の設備及び構造物等へ付着することによる汚染を低減できる構造が簡単、省エネルギーかつメンテナンスが容易な電気集じん装置を提供することを目的とする。
【０００６】
【課題を解決するための手段】
本発明の電気集じん装置は上記目的を達成するために、空気流に含まれる塵埃を帯電させ、捕集する集じんユニットと、その下流側に、上流側から順に、洗浄部、接地された金網、ダンパーとを備えた構成としたものである。
【０００７】
本発明によれば、集じんユニットで捕集されずに通過した帯電された塵埃を接地した金網に接触させ、帯電された塵埃の電荷を金網を経て接地側に逃がすことにより、塵埃を除電し、塵埃が電気集じん装置流出側の設備及び構造物等へ付着することによる汚染を低減でき、且つ洗浄部により金網を定期的に洗浄することにより、金網と接触した塵埃が金網へ付着することによる金網の目詰まりを防止することができる電気集じん装置が得られる。
【０００８】
また、本発明のの電気集じん装置は上記目的を達成するために、集じんユニットと逆極性の低電圧を印加した金網を備えた構成としたものである。
【０００９】
本発明によれば、集じんユニットで捕集されずに通過した帯電された塵埃の電荷と電圧を印加した金網の電荷の間にクーロン力が発生し、このクーロン力により帯電された塵埃は金網に引き寄せられるため帯電された塵埃が金網に接触する確率を増すことができ、帯電された塵埃の除電効果を増すことができ、塵埃が電気集じん装置流出側の設備及び構造物等へ付着することによる汚染を更に低減できる電気集じん装置が得られる。
【００１０】
また、本発明の電気集じん装置は上記目的を達成するために、導電性を有する鞭毛で覆われた金網を備えた構成としたものである。
【００１１】
上記によれば、集じんユニットに捕集されずに通過した帯電された塵埃と金網との接触面積を増加させることにより、帯電された塵埃と金網との接触頻度が高くなり帯電された塵埃の除電効果を増すことができ、塵埃が電気集じん装置流出側の設備及び構造物等へ付着することによる汚染を更に低減できる電気集じん装置が得られる。
【００１２】
また、本発明の電気集じん装置は、金網への塵埃付着度検出部と洗浄制御部を備えた構成としたものである。
【００１３】
上記によれば、金網の汚れ具合を検出することによりタイムリーに自動洗浄を行うことのできる電気集じん装置が得られる。
【００１４】
【発明の実施の形態】
本発明は、塵埃を帯電させ、捕集する集じんユニットと、この集じんユニットの下流側に接地された金網と金網を洗浄する洗浄部を設けたものであり、集じんユニットで捕集されずに通過した帯電された塵埃を接地した金網に接触させ、除電することにより、この塵埃が電気集じん装置流出側の設備及び構造物等へ付着することによる汚染を低減でき、且つ洗浄部により金網を洗浄することにより、金網と接触した塵埃が金網に付着することによる金網の目詰まりを防止することができるという作用を有する。
【００１５】
また金網は集じんユニットと逆極性の低電圧が印加されたものであり、集じんユニットに捕集されず通過した帯電された塵埃を金網に接触させることにより、帯電された未捕集塵埃をより効果的に除電することができるという作用を有する。
【００１６】
また金網は導電性を有する鞭毛で覆われることにより、集じんユニットに捕集されず通過した帯電された塵埃をより効果的に除電できるという作用を有する。
【００１７】
また金網への塵埃付着度検出部と洗浄制御部を設けたものであり、塵埃付着度検出部から出力される集じんユニットに捕集されず通過した塵埃の金網への付着度合を示す信号が、予め設定された値を超えた時点で、洗浄制御部から金網の洗浄信号を出力し、この信号により、タイムリーに金網を自動洗浄することができる作用を有する。
【００１８】
以下本発明の実施例について図面を参照しながら説明する。
【００１９】
【実施例】
（実施例１）
図１は本発明の第１の実施例を示す電気集じん装置である。電気集じん機の筐体１は前後に扉２を備えており、空気流の流入側から入口ダンパー３、集じんユニット４、出口ダンパー５の順に配置されている。集じんユニット４は空気流中に含まれる塵埃を帯電させる帯電部７と、帯電された塵埃を捕集する集じん部８から構成され、この集じんユニット４前後に集じんユニット洗浄ノズル６が配置されている。また集じんユニット４の下流側の集じんユニット洗浄ノズル６と出口ダンパー５の間に金網９を設け、金網９は空気流と直交方向に空気流路全面に接地されている。この金網９は線径０．２ｍｍ、メッシュ＃１６のステンレス鋼製であり、接地されている。そして金網９の上流側に金網洗浄ノズル６Ａが設けられている。
【００２０】
上記構成において、帯電部７は所定間隔で平行に配置されている高圧電極である放電線（図示せず）と接地極板（図示せず）の間にコロナ放電を発生させ、コロナ放電により生じるイオンが塵埃と衝突することにより、塵埃は帯電される。集じん部８は荷電極板（図示せず）と接地極板（図示せず）とを同一の極板間隔で平行に交互に重ねた構成となっており、荷電極板に帯電部７の放電線と同極性の高電圧を印加することにより、荷電極板と接地極板間に電界が発生し、帯電させた塵埃は電界による力を受けて接地極板上に捕集される。集じんユニット４に捕集されず通過した帯電された塵埃は接地された金網９と接触し、金網９を通過するか、もしくは金網９に付着した状態で留まる。また帯電された塵埃の一部は金網９と接触せずに通過する。この接地された金網９と接触した帯電された塵埃の電荷は金網９を経て、接地側へ移動するので、塵埃全体の総帯電量が減少することとなる。また実験の結果、集じんユニット４を通過した未捕集塵埃の筐体１下流側設備及び構造物等への付着量が金網９の設置前と比べて約６０％減少することが確認された。
【００２１】
集じんユニット４の洗浄は、集じんユニット４への電圧印加を停止させた後、集じんユニット洗浄ノズル６より洗浄水を噴射し、集じんユニット４に堆積した塵埃の除去を行う。また金網９の洗浄も集じんユニット４への電圧印加を停止させた後、金網洗浄ノズル６Ａより洗浄水を噴射し、金網９に堆積した塵埃の除去を行うことにより、金網９の目詰まりを防止することができる。また洗浄により集じんユニット４、金網９から除去された塵埃は洗浄水とともに排水ダクト（図示せず）を通り、汚水処理装置（図示せず）に送られ、汚水処理装置により塵埃と水に分離される。
【００２２】
図４に出口ダンパー５を閉じた状態で金網洗浄ノズル６Ａより洗浄水を噴射する様子を示す。金網洗浄ノズル６Ａより洗浄水を噴射する際に出口ダンパー５を閉じることにより、金網９に堆積した塵埃を含んだ汚水が筐体１外部へ飛散することを防ぐことができ、また洗浄水が出口ダンパー５に当たり跳ね返り、跳ね返った洗浄水によっても金網９に堆積した塵埃の除去が行われる。したがって金網洗浄ノズル６Ａから洗浄水を噴射する際に出口ダンパー５の動作を連動させ出口ダンパー５を閉じることにより、少ない洗浄水で効率的に洗浄ができ、金網９の目詰まりを防止する効果が得られる。
【００２３】
したがって、集じんユニットに捕集されず通過した帯電された塵埃を除電でき、この塵埃が電気集じん装置流出側の設備及び構造物等へ付着することによる汚染を低減できる構造が簡単、省エネルギーかつメンテナンスが容易な電気集じん装置を提供することができる。
【００２４】
なお、金網９の線径及びメッシュは目標とする除電効果に応じて変更してもよい。また金網９は集じんユニット４の下流側に複数段設けてもよい。また金網９は出口ダンパー５より下流側（筐体外）に設けてもよい。
【００２５】
なお、集じんユニット洗浄ノズル６と金網洗浄ノズル６Ａに洗浄水を供給する水配管を共用してもよい。また金網洗浄ノズル６Ａを金網９の上方に設置して洗浄水を滴下してもよい。また金網洗浄ノズル６Ａをエアー配管と接続し、圧縮空気を噴射することによっても金網９の洗浄を行うことができる。
【００２６】
（実施例２）
図２は本発明の第２の実施例を示す電気集じん装置である。なお、ここでは実施例１と共通する点については説明を省略する。金網９は直流電源１０に接続されており、集じんユニット４に印加される高電圧とは逆極性の低電圧（たとえば２４Ｖ）が印加されている。
【００２７】
上記構成において、金網９に電圧を印加することにより、集じん部８に捕集されず通過した帯電された塵埃の電荷と、帯電された塵埃と逆極性の電圧を印加した金網９の電荷の間にクーロン力が発生する。このクーロン力により帯電された塵埃が金網９に引き寄せられる力が生じ、帯電された塵埃が金網９と接触する確率が上昇し、帯電された塵埃の除電効果を増すことができ、塵埃が筐体１流出側の設備及び構造物等へ付着することによる汚染を更に低減できる。
【００２８】
（実施例３）
図３は本発明の第３の実施例である金網の一部正面図である。なお、ここでは実施例１および実施例２と共通する点については説明を省略する。本実施例の接地された金網９は導電性を有する鞭毛１１を取り付けたものである。
【００２９】
上記構成において、金網９に鞭毛１１を取り付けることにより未捕集の帯電された塵埃が金網９と接触する面積が増加し、帯電された塵埃と金網９との接触確率が増加することにより帯電された塵埃の電荷が金網９に移動することによる除電効果を増すことができ、塵埃が筐体１流出側の設備及び構造物等へ付着することによる汚染を更に低減できる。
【００３０】
（実施例４）
図５は本発明の第４の実施例である電気集じん装置である。実施例１、実施例２および実施例３と共通する点については説明を省略する。本実施例の電気集じん装置は金網９の塵埃の付着度合を検出する塵埃付着度検出部１４を設けており、塵埃付着度検出部１４は圧力検出管１２と差圧計１３から構成されている。
【００３１】
上記構成において、圧力検出管１２を電気集じん機の筐体１前後に設置し、圧力検出管１２と接続した差圧計１３により筐体１前後の差圧を検出する。差圧計１３からの差圧信号は洗浄制御部１５に入力され、この差圧信号（アナログ信号）が設定値以上になると洗浄制御部１５からの電気信号により、集じんユニット４への電圧印加を停止させ、出口ダンパー５を閉じる。その後洗浄制御部１５からの電気信号により金網洗浄ノズル６Ａの水配管バルブ１６を開け、金網９の洗浄を開始する。したがって、適切な洗浄開始時期の設定を行うことができ、金網９をタイムリーに自動洗浄することができることとなる。
【００３２】
【発明の効果】
以上の実施例から明らかなように、本発明によれば、集じんユニットの下流側に接地された金網と金網を洗浄する洗浄部を設けることにより、集じん部に捕集されずに通過した帯電された塵埃を除電することができ、かつ金網の目詰まりを防止することができる。したがって集じんユニットに捕集されず通過した帯電された塵埃が電気集じん装置流出側の設備及び構造物等へ付着することによる汚染を低減できる構造が簡単、省エネルギーかつメンテナンスが容易な電気集じん装置を提供することができる。
【００３３】
また金網に集じんユニットと逆極性の低電圧を印加することにより、集じんユニットに捕集されずに通過する帯電された塵埃の電荷と金網の電荷の間に生じるクーロン力により帯電された塵埃が金網に引き寄せられ、帯電された塵埃と金網との接触確率が増加することにより、帯電された塵埃の除電効果を増すことができ、塵埃が電気集じん装置流出側の設備及び構造物等へ付着することによる汚染をさらに低減できる。
【００３４】
また導電性の鞭毛を取り付けた金網を集じんユニットの下流側に接地することにより、集じんユニットに捕集されず通過した帯電された塵埃と金網との接触面積が増加し、帯電された塵埃と金網との接触確率が増加することにより、帯電された塵埃の除電効果を増すことができ、塵埃が電気集じん装置流出側の設備及び構造物等へ付着することによる汚染をさらに低減できる。
【００３５】
また金網の塵埃付着度検出部と洗浄制御部を設けることにより、金網の汚れ度合を検出し、タイムリーに自動洗浄を行うことができ、更にメンテナンス性を向上することができる。
【図面の簡単な説明】
【図１】本発明の実施例１の構成を示す側断面図
【図２】同実施例２の構成を示す側断面図
【図３】同実施例３の構成を示す一部正面図
【図４】同実施例１の構成を示す要部側面図
【図５】同実施例４の構成説明図
【図６】従来の電気集じん装置の構成図
【符号の説明】
１      筐体
２      扉
３      入口ダンパー
４      集じんユニット
５      出口ダンパー
６      集じんユニット洗浄ノズル
６Ａ    金網洗浄ノズル
７      帯電部
８      集じん部
９      金網
１０    直流電源
１１    鞭毛
１２    圧力検出管
１３    差圧計
１４    塵埃付着度検出部
１５    洗浄制御部
１６    水配管バルブ
１０１  高電圧極
１０２  接地極
１０３  集じん極
１０４  放電極
１０５  高電圧極
１０６  放電極移動機構
１０７  可変高抵抗
１０８  制御装置
【図１】
0003973764.tif 000002
【図２】
0003973764.tif 000003
【図３】
0003973764.tif 000004
【図４】
0003973764.tif 000005
【図５】
0003973764.tif 000006
【図６】
0003973764.tif 000007